(57)【要約】【課題】取付け台のぐらつきがなくなり、熱交換器の傷つきの防止を実現することができる空気調和機の室外機を提供すること。【解決手段】本発明の室外機は、少なくとも送風機と、送風機を取り付ける取付け台と、送風機の動作時の吸込み側に室外熱交換器と、室外熱交換器の吸込み側を覆うように縦桟と横桟で格子状に構成された保護網とを有した室外機であって、取付け台の下部は室外機の底板に固着し、取付け台の上部は室外熱交換器の上部に係止し、取付け台の上部と、室外機の天板とをネジで螺着するとともに、取付け台の幅と、保護網の縦桟の間隙幅とを同一寸法にした。【選択図】図１
2011208829.tif 000002
【特許請求の範囲】
【請求項１】
少なくとも送風機と、前記送風機を取り付ける取付け台と、前記送風機の動作時の吸込み側に室外熱交換器と、前記室外熱交換器の吸込み側を覆うように縦桟と横桟で格子状に構成された保護網とを有した室外機であって、前記取付け台の下部は前記室外機の底板に固着し、前記取付け台の上部は前記室外熱交換器の上部に係止し、前記取付け台の上部と、前記室外機の天板とをネジで螺着するとともに、前記取付け台の幅と、前記保護網の縦桟の間隙幅とを同一寸法にしたことを特徴とする室外機。
【請求項２】
前記取付け台の両端に沿う前記保護網の縦桟をコの字状に折り曲げ、前記コの字状に折り曲げた縦桟を、前記室外熱交換器の上部に係止することを特徴とする請求項１に記載の室外機。
【請求項３】
前記取付け台の上部先端をさらに前記室外熱交換器側へ折り曲げ、前記取付け台の上部先端で前記保護網の横桟を下方から保持するようにしたことを特徴とする請求項１または２に記載の室外機。
【請求項４】
少なくとも送風機と、前記送風機を取り付ける取付け台と、前記送風機の動作時の吸込み側に室外熱交換器と、前記室外熱交換器の吸込み側を覆うように縦桟と横桟で格子状に構成された保護網とを有した室外機であって、前記取付け台の下部は前記室外機の底板に固着し、前記取付け台の上部は前記室外熱交換器の上部に係止し、前記取付け台の上部と、前記室外機の天板とをネジで螺着するとともに、前記取付け台の幅を、前記保護網の縦桟の間隙幅よりも大きくし、前記取付け台の上端部には前記保護網の縦桟に沿うようにフランジを設けたことを特徴とする室外機。
【発明の詳細な説明】
【技術分野】
【０００１】
本発明は、空気調和機の室外機に関するものである。
【背景技術】
【０００２】
従来、一般的に空気調和機の室外機には、室外機に搭載された熱交換器のフィンへの傷つき防止や、人の熱交換器への接触時の怪我防止のために、室外熱交換器の外側に保護網が設けられる構成が一般的である（例えば、特許文献１参照）。
【０００３】
図９は、特許文献１に記載された従来の空気調和機の平面部分断面を示すものである。また図１０は、従来の空気調和機の室外機後方向から見た斜視図を示すものである。
【０００４】
図９と図１０に示すように、底板１、天板２、左側板３と右側板４及び送風機５を保護するために、設けられた吹出グリル６で構成された箱体に、吸込み側７に対向して熱交換器８、吹出し側９に対向して、モ−タ１０に固定された送風機５をそれぞれ固定するために設けられた、取付け台１１が配設されている。
【０００５】
また吸込み側７には熱交換器８の傷付きや、人が熱交換器８に触れたときの怪我防止を目的として、縦桟１２と横桟１３で格子状に構成された保護網１４が取り付けられている。そして取付け台１１の上部板１５は、熱交換器６の上端を狭持する下向きにコの字状の保持部１６が形成され、コの字状の保持部１６は熱交換器８の上部に係止され、その先端に設けられたネジ孔１７と、天板２に設けられた孔１８とをネジ１９で締結することによって固定されている。
【先行技術文献】
【特許文献】
【０００６】
【特許文献１】実開平７−３２４２６号公報
【発明の概要】
【発明が解決しようとする課題】
【０００７】
しかしながら、前記の構成では、取付け台１１を固定する場合、取付け台１１に設けられた孔１７と、天板に設けられた孔１８の位置がずれないように、取付け台１１を手で調整しながら、片手でネジを締結しなければならないために作業性が悪く、また組立工程において、天板２が固定されない状態でラインのコンベアで生産されるため、製造中に取付け台がぐらつき熱交換器を傷つけてしまうという課題を有していた。
【０００８】
本発明は、前記従来の課題を解決するもので、取付け台に設けられた孔と天板に設けられた孔の位置がずれを防止して作業性の向上、および組立工程において、天板が固定されない状態でラインのコンベアで生産されても、取付け台のぐらつきがなくなり、熱交換器の傷つきの防止を実現することができる空気調和機の室外機を提供することを目的とする。
【課題を解決するための手段】
【０００９】
前記従来の課題を解決するために、本発明の室外機は、少なくとも送風機と、送風機を取り付ける取付け台と、送風機の動作時の吸込み側に室外熱交換器と、室外熱交換器の吸込み側を覆うように縦桟と横桟で格子状に構成された保護網とを有した室外機であって、取付け台の下部は室外機の底板に固着し、取付け台の上部は室外熱交換器の上部に係止し、取付け台の上部と、室外機の天板とをネジで螺着するとともに、取付け台の幅と、保護
網の縦桟の間隙幅とを同一寸法にしたことにより、生産組立時、取付け台に設けられた孔と天板に設けられた孔の位置がずれを防止することで作業性向上が図れ、組立工程において、天板が固定されない状態でラインのコンベアで生産されても、取付け台のぐらつきがなくなり、熱交換器の傷つきを防止することができる。
【００１０】
また、本発明の室外機は、少なくとも送風機と、送風機を取り付ける取付け台と、送風機の動作時の吸込み側に室外熱交換器と、室外熱交換器の吸込み側を覆うように縦桟と横桟で格子状に構成された保護網とを有した室外機であって、取付け台の下部は室外機の底板に固着し、取付け台の上部は室外熱交換器の上部に係止し、取付け台の上部と、室外機の天板とをネジで螺着するとともに、取付け台の幅を、保護網の縦桟の間隙幅よりも大きくし、取付け台の上端部には保護網の縦桟に沿うようにフランジを設けたことにより、生産組立時作業性向上が図れ、組立工程において、天板が固定されない状態でラインのコンベアで生産されても、取付け台のぐらつきがなくなり、熱交換器の傷つきを防止することができる。
【発明の効果】
【００１１】
本発明は、取付け台に設けられた孔と天板に設けられた孔の位置がずれを防止して作業性の向上、および組立工程において、天板が固定されない状態でラインのコンベアで生産されても、取付け台のぐらつきがなくなり、熱交換器の傷つきの防止を実現することができる空気調和機の室外機を提供することができる。
【図面の簡単な説明】
【００１２】
【図１】本発明の実施の形態１における室外機後方向から見た斜図
【図２】同実施の形態１における部分詳細図
【図３】本発明の実施の形態２における室外機後方向から見た斜図
【図４】同実施の形態２における部分詳細図
【図５】本発明の実施の形態３における室外機後方向から見た斜図
【図６】同実施の形態３における部分詳細図
【図７】本発明の実施の形態４における室外機後方向から見た斜図
【図８】同実施の形態４における部分詳細図
【図９】従来の室外機の平面部分断面
【図１０】従来の室外機の室外機後方向から見た斜視図
【発明を実施するための形態】
【００１３】
第１の発明の室外機は、少なくとも送風機と、送風機を取り付ける取付け台と、送風機の動作時の吸込み側に室外熱交換器と、室外熱交換器の吸込み側を覆うように縦桟と横桟で格子状に構成された保護網とを有した室外機であって、取付け台の下部は室外機の底板に固着し、取付け台の上部は室外熱交換器の上部に係止し、取付け台の上部と、室外機の天板とをネジで螺着するとともに、取付け台の幅と、保護網の縦桟の間隙幅とを同一寸法にしたことにより、生産組立時、取付け台に設けられた孔と天板に設けられた孔の位置がずれを防止することで作業性向上が図れ、組立工程において、天板が固定されない状態でラインのコンベアで生産されても、取付け台のぐらつきがなくなり、熱交換器の傷つきを防止することができる。
【００１４】
第２の発明の室外機は、特に第１の発明において、取付け台の両端に沿う保護網の縦桟をコの字状に折り曲げ、コの字状に折り曲げた縦桟を、室外熱交換器の上部に係止することにより、さらに確実に保護網をぐらつくことなく固定することができる。
【００１５】
第３の発明の室外機は、特に第１または第２の発明において、取付け台の上部先端をさらに室外熱交換器側へ折り曲げ、取付け台の上部先端で保護網の横桟を下方から保持する
ようにしたことにより、さらに強固に保護網をぐらつくことなく固定することができる。
【００１６】
第４の発明の室外機は、少なくとも送風機と、送風機を取り付ける取付け台と、送風機の動作時の吸込み側に室外熱交換器と、室外熱交換器の吸込み側を覆うように縦桟と横桟で格子状に構成された保護網とを有した室外機であって、取付け台の下部は室外機の底板に固着し、取付け台の上部は室外熱交換器の上部に係止し、取付け台の上部と、室外機の天板とをネジで螺着するとともに、取付け台の幅を、保護網の縦桟の間隙幅よりも大きくし、取付け台の上端部には保護網の縦桟に沿うようにフランジを設けたことにより、生産組立時作業性向上が図れ、組立工程において、天板が固定されない状態でラインのコンベアで生産されても、取付け台のぐらつきがなくなり、熱交換器の傷つきを防止することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における空気調和機の室外機を後方向から見た斜視図を示すものであり、図２は第１の実施の形態における取付け台と保護網の位置関係を示した部分詳細図である。なお、室外機の内部の構造については従来技術で示した図９と同一であり、同じ符号を付してその説明を省略する。
【００１９】
図１、図２において、送風機５を駆動させるモータ１０を固定する取付け台１１を備えており、取付け台１１の上部板１５の先端部を下方に垂下させ、フランジ１９で熱交換器８の上端を狭持するようにコの字状の保持部１６が形成されている。
【００２０】
さらに、保持部１６には天板２に設けられた孔１８に固定するためのネジ孔１７が設けられている。そして室外機の後面の吸込み側７には室外熱交換器８の傷付きや人が熱交換器８に触れたときの怪我防止を目的として取付けられ、縦桟１２と横桟１３で格子状に構成された保護網１４で覆われている。
【００２１】
本実施の形態では、この保護網１４の複数本のうち２本の縦桟１２の間隙幅を、取付け台１１の上部板１５の幅と同一寸法にして、取付け台１１の先端部を下方に垂下させたフランジ１９の左右の端面２０と平行に沿わせるとともに、取付け台１１の左右の動きを規制するように配置されている。そして、保護網１４は右側板４と左側板３でネジ止め仕様にて固定されるように構成されている。
【００２２】
以上のように構成された空気調和機について、以下その動作、作用を説明する。室外熱交換器８を保護するための保護網１４の２本の縦桟１２を、取付け台１１の上部板１５間の先端部を下方に垂下させたフランジ１９の左右の端面２０と平行に沿い、左右端面２０の幅と同一寸法にし、取付け台１１の左右の動きを規制するように配置ことにより、生産組立時、取付け台１１に設けられた孔１７と天板２に設けられた孔１８の位置がずれを防止することで作業性向上が図れ、組立工程において、天板２が固定されない状態でラインのコンベアで生産されても、取付け台１１のぐらつきがなくなり、熱交換器８の傷つきを防止することができる。
（実施の形態２）
図３は、本発明の第２の実施の形態における空気調和機の室外機後方向から見た斜視図を示すものであり、図４は第２の実施の形態における取付け台と保護網の位置関係を示した部分詳細図である。なお、第１の実施の形態における空気調和機の同一部分については、同一符号を付してその説明を省略する。
【００２３】
図４及び図５において保護網１４を構成する２本の縦桟１２を取付け台１１の上部板１５の両端を沿うようにコの字状に折り曲げ、さらに保護網１４の縦桟１２が熱交換器８上部に係止するように構成されることにより、生産組立時作業性向上が図れ、組立工程において、天板２が固定されない状態でラインのコンベアで生産されても、取付け台１１のぐらつきがなくなり、熱交換器の傷つきを防止することができる。
（実施の形態３）
図５は、本発明の第３の実施の形態における空気調和機の室外機後方向から見た斜視図を示すものであり、図６は第３の実施の形態における取付け台と保護網の位置関係を示した部分詳細図である。なお、第１の実施の形態における空気調和機の同一部分については、同一符号を付してその説明を省略する。
【００２４】
図５及び図６において、熱交換器８に係止した取付け台１１の上部板１５の先端を熱交換器８側に折り曲げ、保護網１４の横桟１３を下方から保持するように配したフランジ２１を設けることにより、生産組立時業性向上が図れ、が図れ、組立工程において、天板２が固定されない状態でラインのコンベアで生産されても、取付け台１１のぐらつきがなくなり、熱交換器８の傷つきを防止することができる。
（実施の形態４）
図７は、本発明の第４の実施の形態における空気調和機の室外機後方向から見た斜視図を示すものであり、図８は第４の実施の形態における取付け台と保護網の位置関係を示した部分詳細図である。なお、上記第１の実施の形態における空気調和機の同一部分については、同一符号を付してその説明を省略する。
【００２５】
図７及び図８において、熱交換器８に係止した取付け台１１の上部板１５の先端フランジ２２を保護網１４の縦桟１２間に接するように切り起こした２箇所の縦フランジ２３を有することにより、生産組立時作業性向上が図れ、組立工程において、天板２が固定されない状態でラインのコンベアで生産されても、取付け台１１のぐらつきがなくなり、熱交換器の傷つきを防止することができる。
【産業上の利用可能性】
【００２６】
以上のように、本発明にかかる室外機は、取付け台に設けられた孔と天板に設けられた孔の位置がずれを防止することで作業性向上が図れ、組立工程において、天板が固定されない状態でラインのコンベアで生産されても、取付け台のぐらつきがなくなり、熱交換器の傷つきを防止が可能となるので、空気調和機の室内機の熱交換器固定等にも適用できる。
【符号の説明】
【００２７】
１  底板
２  天板
３  左側板
４  右側板
５  室外ファン
６  吹出グリル
７  吸込み側
８  熱交換器
９  吹出し側
１０  モ−タ
１１  モ−タ取付け台
１２  縦桟
１３  横桟
１４  保護網
１５  上部板
１６  コの字状の保持部
１７  ネジ孔
１８  孔
１９  ネジ
２０  左右の端面
２１  フランジ
２２  先端フランジ
２３  縦フランジ
【図１】
2011208829.tif 000003
【図２】
2011208829.tif 000004
【図３】
2011208829.tif 000005
【図４】
2011208829.tif 000006
【図５】
2011208829.tif 000007
【図６】
2011208829.tif 000008
【図７】
2011208829.tif 000009
【図８】
2011208829.tif 000010
【図９】
2011208829.tif 000011
【図１０】
2011208829.tif 000012